(57)【要約】【課題】ポケットに玉を収容する際に、ポケットの中心に向かう方向へと玉を適切に案内することができる玉軸受用保持器を提供する。【解決手段】内輪と外輪との間の環状空間に配置されて内輪と外輪との間に複数の玉を転動可能に保持する玉軸受用保持器において、円環状の環状部３１と、環状部３１から玉軸受用保持器の軸ＺＳ方向の一方側に突出して玉４０を収容する複数のポケット３３を区画形成する複数の柱部３２と、を備え、それぞれの柱部３２における軸ＺＳ方向の一方側の先端部３４であって玉４０を収容する際に玉４０と接触する爪部３５は、凹形状に形成されている。【選択図】図２
2013057360.tif 000002
【特許請求の範囲】
【請求項１】
内輪と外輪との間の環状空間に配置されて前記内輪と前記外輪との間に複数の玉を転動可能に保持する玉軸受用保持器において、
円環状の環状部と、
前記環状部から前記玉軸受用保持器の軸方向の一方側に突出して前記玉を収容する複数のポケットを区画形成する複数の柱部と、を備え、
それぞれの柱部における前記軸方向の一方側の先端部であって前記玉を収容する際に玉と接触する爪部は、凹形状に形成されている、
玉軸受用保持器。
【請求項２】
請求項１に記載の玉軸受用保持器であって、
前記爪部の凹形状は、複数の前記ポケットのそれぞれに収容された複数の前記玉の中心を通るピッチ円に対応する位置が、最も凹んだ位置となるように形成されている、
玉軸受用保持器。
【請求項３】
請求項１または２に記載の玉軸受用保持器であって、
前記爪部の凹形状は、前記玉の曲面に沿った形状に形成されている、
玉軸受用保持器。
【発明の詳細な説明】
【技術分野】
【０００１】
本発明は、玉軸受用保持器に関する。
【背景技術】
【０００２】
従来より、玉軸受に用いられる保持器において、冠型保持器とも呼ばれている片抱き式の保持器が知られている。
ここで従来の玉軸受用保持器の例として、図３（Ａ）及び（Ｂ）に示す玉軸受用保持器１３０と、図３（Ｃ）に示す玉軸受用保持器２３０と、の２つの例を示す。
図３（Ａ）及び（Ｂ）に示す従来の玉軸受用保持器１３０は、ポケット１３３を区画形成する柱部１３２の先端部１３４において、玉を収容する際に玉と接触する爪部１３５の形状が、玉軸受用保持器１３０の軸ＺＳに直交する平面と平行な形状であり、直線状である。
また、図３（Ｃ）に示す特許文献１には、ポケット２３３の開口部に相対向する弾性突起２３６を設け、玉をポケット２３３に収容する際に玉軸受用保持器２３０が半径方向に偏心することを防止することができる、従来の玉軸受用保持器２３０が開示されている。
【先行技術文献】
【特許文献】
【０００３】
【特許文献１】特開２００２−１９５２６９号公報
【発明の概要】
【発明が解決しようとする課題】
【０００４】
図３（Ａ）及び（Ｂ）に示す従来の玉軸受用保持器１３０は、玉を収容する際に玉と接触する爪部１３５が直線状である。このため、図３（Ｂ）に示すように、収容時の玉の位置がポケット１３３の中心（ピッチ円Ｐ１に対応する位置）からずれた位置４０Ａ、４０Ｂ等である場合、玉をポケット１３３の中心（ピッチ円Ｐ１に対応する位置）の方向に案内することができないので、組み付け性がよくない。なお、ピッチ円Ｐ１は、それぞれのポケット１３３に玉４０を収容した際、それぞれの玉４０の中心を通る円である。
また、特許文献１に記載された従来の玉軸受用保持器２３０では、玉軸受用保持器のポケット２３３の開口部の各先端部２３４に２つの弾性突起２３６が間隔を空けて設けられており、２つの弾性突起２３６の間隔の位置に配置された玉を、その位置に保持する。この場合、玉の収容時において、玉の中心が弾性突起２３６の間隔部分にあればその玉を中心へと案内して中心位置に保持できるが、玉の中心が弾性突起２３６の間隔部分からずれて弾性突起２３６上にある場合、その玉を中心へと適切に案内することができない。
本発明は、このような点に鑑みて創案されたものであり、ポケットに玉を収容する際に、ポケットの中心に向かう方向へと玉を適切に案内することができる玉軸受用保持器を提供することを課題とする。
【課題を解決するための手段】
【０００５】
上記課題を解決するため、本発明に係る玉軸受用保持器は次の手段をとる。
まず、本発明の第１の発明は、内輪と外輪との間の環状空間に配置されて前記内輪と前記外輪との間に複数の玉を転動可能に保持する玉軸受用保持器において、円環状の環状部と、前記環状部から前記玉軸受用保持器の軸方向の一方側に突出して前記玉を収容する複数のポケットを区画形成する複数の柱部と、を備えている。
そして、それぞれの柱部における前記軸方向の一方側の先端部であって前記玉を収容する際に玉と接触する爪部は、凹形状に形成されている。
【０００６】
この第１の発明によれば、玉軸受用保持器のポケットに玉を収容する際に玉と接触する爪部を凹形状としているので、玉の位置がずれていても、この凹形状にて、ポケットの中心に向かう方向へと玉を適切に案内することができる。
【０００７】
次に、本発明の第２の発明は、上記第１の発明に係る玉軸受用保持器であって、前記爪部の凹形状は、複数の前記ポケットのそれぞれに収容された複数の前記玉の中心を通るピッチ円に対応する位置が、最も凹んだ位置となるように形成されている。
【０００８】
この第２の発明によれば、爪部の凹形状を、より適切にポケットの中心へと玉を案内する形状に設定できる。
【０００９】
次に、本発明の第３の発明は、上記第１の発明または第２の発明に係る玉軸受用保持器であって、前記爪部の凹形状は、前記玉の曲面に沿った形状に形成されている。
【００１０】
この第３の発明によれば、爪部の凹形状を、より適切にポケットの中心へと玉を案内する形状に設定できるとともに、収容した玉を、より適切に保持する形状に設定できる。
【図面の簡単な説明】
【００１１】
【図１】（Ａ）は本発明の玉軸受用保持器３０を備えた玉軸受１の一実施の形態の外観を説明する図であり、（Ｂ）は玉４０を保持している状態の玉軸受用保持器３０の外観を説明する図である。
【図２】（Ａ）は玉軸受用保持器３０の外観を説明する図であり、（Ｂ）は玉４０を収容する際に玉４０がポケットの中心の方向に案内される様子を説明する図であり、（Ｃ）は玉軸受用保持器３０の各ポケットに玉４０が収容された状態を説明する図である。
【図３】従来の玉軸受用保持器１３０、２３０の外観の例を説明する図である。
【発明を実施するための形態】
【００１２】
以下に本発明を実施するための形態を図面を用いて説明する。
●［玉軸受１の外観と、玉軸受用保持器３０の外観（図１）］
図１（Ａ）に示すように、本発明の玉軸受用保持器３０を備えた玉軸受１は、外周面に軌道２０Ｍを有する内輪２０と、内周面に軌道１０Ｍを有する外輪１０と、転動体である複数の玉４０と、玉４０を等間隔に保持する玉軸受用保持器３０と、を有している。
玉軸受用保持器３０は、内輪２０と外輪１０との間の環状空間に配置され、内輪２０と外輪１０との間に複数の玉４０を転動可能に保持している。なお、図１（Ｂ）は、玉軸受用保持器３０が玉４０を転動可能に保持する様子を示す図である。
【００１３】
●［玉軸受用保持器３０の外観と、ポケット３３の中心に玉４０を案内する仕組み（図２）］
次に図２（Ａ）〜（Ｃ）を用いて、玉軸受用保持器３０の外観、及びポケット３３の中心に玉４０を案内する仕組みについて説明する。
図２（Ａ）及び（Ｂ）に示すように、玉軸受用保持器３０は、円環状の環状部３１と、環状部３１から軸ＺＳ方向の一方側に突出して玉４０を収容する複数のポケット３３を区画形成する複数の柱部３２と、を備えている。
そして、それぞれの柱部３２における軸ＺＳ方向の一方側の先端部３４であって玉４０を収容する際に玉４０と接触する爪部３５は、湾曲した凹形状に形成されている。
【００１４】
また、爪部３５の凹形状は、図２（Ｂ）及び（Ｃ）に示すピッチ円Ｐ１に対応する位置が、最も凹んだ位置となる凹形状に形成されている。なお、ピッチ円Ｐ１は、図２（Ｃ）に示すように、それぞれのポケット３３に玉４０を収容した際、それぞれの玉４０の中心を通る円である。
図２（Ｂ）に示すように、爪部３５の凹形状は、ポケット３３に玉４０を収容する際、玉４０の中心がピッチ円Ｐ１の位置からずれた位置４０Ａ、４０Ｂ等であっても、玉４０の中心が凹形状の内部であれば、ずれた位置から玉４０をピッチ円Ｐ１の位置（すなわち、ポケット３３の中心位置）へと玉４０を適切に案内することができる。
また、爪部３５の凹形状は、玉４０の曲面に沿った形状に形成されている。この凹形状により、玉４０を収容する際は、より適切にポケット３３の中心（ピッチ円Ｐ１に対応する位置）へと玉を案内することができるとともに、収容した玉を、より適切に保持することができる。
なお、爪部３５の凹形状は、一定の曲率の形状であってもよいし、複数の曲率を組み合わせた形状であってもよい。
【００１５】
次に玉軸受１を組み付ける手順の例について説明する。
まず、水平な台に外輪１０を置き、外輪１０の内側に内輪２０を置く。そして内輪２０の位置を、外輪１０に対して偏心した位置にずらし、内輪２０と外輪１０との間の環状空間が、一部で大きくなるようにする。
大きくなった環状空間の位置から玉４０を挿入し、必要な数の玉４０を挿入後、内輪２０と外輪１０を同心状にする。
そして環状空間内における玉４０の位置を、玉軸受用保持器３０の各ポケット３３に対応する位置に調整し、軸ＺＳ方向から、玉軸受用保持器３０の各爪部３５を各玉４０に接触させる。このとき、玉４０の中心がポケット３３の中心からずれていても、爪部３５の凹形状によって玉４０はポケット３３の中心へと案内される。この場合、玉４０の中心が、爪部３５の凹形状の内部であれば、玉４０は中心へと案内されるので、特許文献１に記載の玉軸受用保持器よりも玉の位置のずれの許容範囲が大きい。
そして玉軸受用保持器３０を軸ＺＳ方向に沿って玉４０に向けて押し込んでいくと、爪部３５は玉４０に押されて弾性変形して開いていく。なお、玉軸受用保持器３０は、樹脂等の弾性部材で形成されている。やがて対向する爪部３５の間隔が玉４０の径よりも大きく開くと、玉４０はポケット３３に収容される。また収容された玉４０は、爪部３５の凹形状にて適切に保持される。
このとき、対向する爪部３５が最後まで玉４０と接触する個所は、ピッチ円Ｐ１上の２点が主であるが、爪部３５の凹形状の全体が接触するように凹形状を形成すると、過大応力を抑制し、爪部３５、３５Ａの微小変形を防止することができるので、より好ましい。
【００１６】
本発明の玉軸受用保持器３０は、本実施の形態で説明した外観、構造、形状等に限定されず、本発明の要旨を変更しない範囲で種々の変更、追加、削除が可能である。
【符号の説明】
【００１７】
１        玉軸受
１０      外輪
１０Ｍ    軌道
２０      内輪
２０Ｍ    軌道
３０      玉軸受用保持器
３１      環状部
３２      柱部
３３      ポケット
３４      先端部
３５      爪部
４０      玉
Ｐ１      ピッチ円
ＺＳ      軸
【図１】
2013057360.tif 000003
【図２】
2013057360.tif 000004
【図３】
2013057360.tif 000005